(57)【要約】【課題】画像品質が高い画像表示状態と奥行照明状態とが切替可能な装置を提供する。【解決手段】液晶画像表示ユニット１Ａの前段に直線偏光型液晶ミラースイッチ２Ａを設け、その前段に光源３を設け、最表面に反射型直線偏光板５Ａを設ける。直線偏光型液晶ミラースイッチ２Ａの透過状態のときに、液晶画像表示ユニット１Ａの明画像の直線偏光１４ａは反射型直線偏光板５Ａを透過する。直線偏光型液晶ミラースイッチ２Ａがミラー状態のとき、反射型直線偏光板５Ａで反射された直線偏光５ｂは直線偏光型液晶ミラースイッチ２Ａで反射されて戻り、奥行照明を実現する。【選択図】  図４
2020060609.tif 000002
【特許請求の範囲】
【請求項１】
直線偏光又は円偏光の画像表示を出射するための画像表示ユニットと、
前記画像表示ユニットの前段に設けられ、電圧印加及び電圧無印加に応じてミラー状態及び透過状態となるミラースイッチと、
前記ミラースイッチの前段に設けられた反射型偏光板と、
前記ミラースイッチと前記反射型偏光板との間の空間の側方、または前記ミラースイッチと前記反射型偏光板との間の空間に設けられ、単数又は複数の点光源素子又は面光源素子を有する光源と
を具備する画像表示状態と奥行照明状態とが切替可能な装置。
【請求項２】
前記画像表示ユニットは液晶画像表示ユニットを具備し、
前記液晶画像表示ユニットは、
液晶画像表示セルと、
前記液晶画像表示セルの前段に設けられた第１の吸収型直線偏光板と
を具備する請求項１に記載の装置。
【請求項３】
前記ミラースイッチは直線偏光型液晶ミラースイッチを具備し、
該直線偏光型液晶ミラースイッチは、
前記第１の吸収型直線偏光板の前段に設けられ、前記第１の吸収型直線偏光板の透過軸に平行な透過軸を有する第１の反射型直線偏光板と、
前記第１の反射型直線偏光板の前段に設けられ、前記電圧印加及び前記電圧無印加に応じて入射直線偏光を回転及び無回転させて出射させるための液晶ミラーセルと、
前記液晶ミラーセルの前段に設けられ、前記第１の吸収型直線偏光板の透過軸に平行な透過軸を有する第２の吸収型直線偏光板と
を具備し、
前記反射型偏光板は前記第１の吸収型直線偏光板の透過軸に平行な透過軸を有する反射型直線偏光板を具備する請求項２に記載の装置。
【請求項４】
前記ミラースイッチは前記ミラー状態及び前記透過状態を呈するためのミラーデバイスを具備し、
前記反射型偏光板は前記第１の吸収型直線偏光板の透過軸に平行な透過軸を有する反射型直線偏光板を具備する請求項２に記載の装置。
【請求項５】
前記ミラースイッチは円偏光型液晶ミラースイッチを具備し、
前記円偏光型液晶ミラースイッチは、
前記第１の吸収型直線偏光板の前段に設けられ、前記第１の吸収型直線偏光板の透過軸に対して所定角傾いた遅相軸を有する１/４波長板と、
前記１/４波長板の前段に設けられた所定の回転型の第１の反射型円偏光板と、
前記第１の反射型円偏光板の前段に設けられ、前記電圧印加及び前記電圧無印加に応じて入射円偏光の回転方向を反転及び無反転させて出射させるための液晶ミラーセルと
を具備し、
前記反射偏光板は前記第１の反射型円偏光板の回転型と同一の回転型の第２の反射型円偏光板を具備する請求項２に記載の装置。
【請求項６】
前記画像表示ユニットは液晶画像表示ユニットを具備し、
前記液晶画像表示ユニットは、
液晶画像表示セルと、
前記液晶画像表示セルの後段に設けられ、第１の円偏光を出射するための手段と
を具備し、
前記ミラースイッチは円偏光型液晶ミラースイッチを具備し、
前記円偏光型液晶ミラースイッチは、
前記液晶画像表示セルの前段に設けられた所定の回転型の第１の反射型円偏光板と、
前記第１の反射型円偏光板の前段に設けられ、前記電圧印加又は前記電圧無印加に応じて入射円偏光の回転方向を反転又は無反転させて出射させるための液晶ミラーセルと
を具備し、
前記反射偏光板は前記第１の反射型円偏光板の回転型と同一の回転型の第２の反射型円偏光板を具備する請求項２に記載の装置。
【請求項７】
前記画像表示ユニットは有機エレクトロルミネセンス画像表示ユニットを具備し、
前記有機エレクトロルミネセンス画像表示ユニットは、
有機エレクトロルミネセンス画像表示セルと、
前記有機エレクトロルミネセンス画像表示セルの前段に設けられ、所定の回転型の第１の反射型円偏光板と
を具備し、
前記ミラースイッチは前記ミラー状態及び前記透過状態を呈するためのミラーデバイスを具備し、
前記反射型偏光板は前記第１の反射型直線偏光板の回転型と同一の回転型の第２の反射型円偏光板を具備する請求項２に記載の装置。
【請求項８】
直線偏光又は円偏光の画像表示を出射するための画像表示ユニットと、
前記画像表示ユニットの前段に設けられ、前記画像表示ユニットを透過した前記直線偏光又は前記円偏光の画面表示を反射又は透過するための反射型偏光板と、
前記反射型偏光板の前段に設けられ、電圧印加及び電圧印加に応じてミラー状態及び透過状態となるミラースイッチと、
前記反射型偏光板と前記ミラースイッチとの間の空間の側方、または前記ミラースイッチと前記反射型偏光板との間の空間に設けられ、単数又は複数の点光源素子又は面光源素子を有する光源と
を具備する画像表示状態と奥行照明状態とが切替可能な装置。
【請求項９】
前記画像表示ユニットは液晶画像表示ユニットを具備し、
前記液晶画像表示ユニットは、
液晶画像表示セルと、
前記液晶画像表示セルの前段に設けられた第１の吸収型直線偏光板と
を具備し、
前記反射型偏光板は前記第１の吸収型直線偏光板の透過軸に平行な透過軸を有する第１の反射型直線偏光板を具備し、
前記ミラースイッチは直線偏光型液晶ミラースイッチを具備し、
該直線偏光型液晶ミラースイッチは、
前記第１の反射型直線偏光板の前段に設けられ、前記電圧印加及び前記電圧無印加に応じて入射直線偏光を回転及び無回転させて出射させるための液晶ミラーセルと、
前記の液晶ミラーセルの前段に設けられ、前記第１の反射型直線偏光板の透過軸に平行な透過軸を有する第２の反射型直線偏光板と
を具備する請求項８に記載の装置。
【請求項１０】
前記画像表示ユニットは有機エレクトロルミネセンス画像表示ユニットを具備し、
前記有機エレクトロルミネセンス画像表示ユニットは、
有機エレクトロルミネセンス画像表示セルと、
前記有機エレクトロルミネセンス画像表示セルの前段に設けられた１/４波長板と、
前記１/４波長板の前段に設けられた吸収型直線偏光板と
を具備し、
前記反射型偏光板は前記吸収型直線偏光板の透過軸に平行な透過軸を有する第１の反射型直線偏光板を具備し、
前記ミラースイッチは直線偏光型液晶ミラースイッチを具備し、
該直線偏光型液晶ミラースイッチは、
前記第１の反射型直線偏光板の前段に設けられ、前記電圧印加及び前記電圧無印加に応じて入射直線偏光を回転及び無回転させて出射させるための液晶ミラーセルと、
前記の液晶ミラーセルの前段に設けられ、前記第１の反射型直線偏光板の透過軸に平行な透過軸を有する第２の反射型直線偏光板と
を具備する請求項８に記載の装置。
【請求項１１】
前記画像表示ユニットは液晶画像表示ユニットを具備し、
前記液晶画像表示ユニットは、
液晶画像表示セルと、
前記液晶画像表示セルの前段に設けられた吸収型直線偏光板と
を具備し、
前記反射型偏光板は前記吸収型直線偏光板の透過軸に平行な透過軸を有する反射型直線偏光板を具備し、
前記ミラースイッチはミラーデバイスを具備する請求項８に記載の装置。
【請求項１２】
前記反射型偏光板の前記各偏光板の偏光度は低い請求項３、４、５、６、７、９及び１０のいずれかに記載の装置。
【請求項１３】
前記ミラースイッチの前記各偏光板の偏光度は低い請求項５、６、９及び１０のいずれかに記載の装置。
【発明の詳細な説明】
【技術分野】
【０００１】
本発明は画像表示状態と奥行照明状態とが切替可能な装置に関する。
【背景技術】
【０００２】
従来、画像表示状態と照明状態とが切替可能な装置は知られている（参照：特許文献１、２）。他方、本願出願人は、ハーフミラーを用いた奥行可変照明装置を既に提案している（参照：特許文献３）。
【０００３】
図１は比較例としての画像表示状態と奥行照明状態とが切替可能な装置を示す分解図である。図１の装置は、上述の従来の画像表示状態と照明状態とが切替可能な装置に本願出願人が提案した奥行可変照明装置を組合わせたものである。
【０００４】
図１において、画像表示ユニット１の表面側にミラースイッチ２を設ける（参照：特許文献１、２）。ミラースイッチ２の表面側に光源３を設け、光源３の表面側にハーフミラー４を設け、奥行照明を実現する（参照：特許文献３）。光源３はミラースイッチ２とハーフミラー４との間の空間の側方に配置された複数の白色ダイオード（ＬＥＤ）素子３１よりなる。画像表示ユニット１、ミラースイッチ２及び光源３はマイクロコンピュータ等よりなる制御ユニット１０によって制御される。
【０００５】
図１の装置における画像表示動作について図２の（Ａ）の断面図を参照して説明する。この場合には、ミラースイッチ２を透過状態にすると共に画像表示ユニット１を駆動する。従って、画像表示ユニット１の画像光Ｌ１はミラースイッチ２を透過してハーフミラー４に到達する。この結果、観察者はハーフミラー４側から画像表示を認識できる。尚、図２の（Ａ）において、画像表示ユニット１は筐体１ａに設けられる。  
【０００６】
次に、図１の装置における奥行照明動作について図２の（Ｂ）の断面図を参照して説明する。この場合には、ミラースイッチ２をミラー状態にすると共に、光源３を駆動する。従って、光源３のＬＥＤ素子３１からの照明光Ｌ２の一部がハーフミラー４から出射すると共に、照明光Ｌ２の残りはハーフミラー４によって反射される。ハーフミラー４からの反射光はミラー状態のミラースイッチ２によって反射されてハーフミラー４に再び到達する。このとき、ミラースイッチ２の裏側に光源３のＬＥＤ素子３１の反射虚像が等間隔形成される。この結果、照明光Ｌ２の多重反射光（無限反射）による奥行照明を実現する。なお、図１、図２においてはＬＥＤ光源３を点状かつミラースイッチ２とハーフミラー４との間の空間の側方に配置しているが、ＬＥＤ光源３を面状にして配置してもよく、さらにＬＥＤ光源３が非点状時に透過可能な構成であればミラースイッチ２とハーフミラー４との間の空間内部に配置しても同じ効果が得られる。
【先行技術文献】
【特許文献】
【０００７】
【特許文献１】特開２００１−３１８３７４号公報（特許第３４１９７６６号）
【特許文献２】特開２００３−２０２５６５号公報（特許第４３４８０６１号）
【特許文献３】特願２０１７−１９１５７１号明細書、図面
【特許文献４】特開２０１２−１８１３８９号公報
【発明の概要】
【発明が解決しようとする課題】
【０００８】
しかしながら、図１に示す比較例の装置においては、画像表示動作において画像の輝度がハーフミラー４によって半減されて画像品質が低下し、また、ハーフミラー４の面法線より斜め方向から観察すると、画像表示輪郭が二重に見える輪郭ぼけが発生するという課題がある。
【課題を解決するための手段】
【０００９】
上述の課題を解決するために、本発明に係る画像表示状態と奥行照明状態とが切替可能な装置は、直線偏光又は円偏光の画像表示を出射するための画像表示ユニットと、画像表示ユニットの前段に設けられ、電圧印加及び電圧無印加に応じてミラー状態及び透過状態となるミラースイッチと、ミラースイッチの前段に設けられた反射型偏光板と、ミラースイッチと反射型偏光板との間の空間またはこの空間の側方に設けられ、単数又は複数の点光源素子又は面光源素子を有する光源とを具備するものである。尚、ミラー状態には、入射円偏光の回転方向を反転させて出射させる場合も含まれる。
【００１０】
また、ミラースイッチの位置と反射型偏光板の位置とを交換することもできる。
【発明の効果】
【００１１】
本発明によれば、画像表示ユニットの直線偏光又は円偏光の画像表示は輝度を減少させずに反射型偏光板（又はミラースイッチ）を透過できるので、観察される画像品質の低下はほとんどない。また、光源の反射型偏光板（又はミラースイッチ）による反射光はミラースイッチ（又は反射型偏光板）によって反射されて反射型偏光板（又はミラースイッチ）に戻るので、奥行照明を実現できる。
【図面の簡単な説明】
【００１２】
【図１】比較例としての画像表示状態と奥行照明状態とが切替可能な装置を示す分解図である。
【図２】図１の装置の画像表示動作及び奥行照明動作を説明するための断面図である。
【図３】第１の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図４】本発明に係る画像表示状態と奥行照明状態とが切替可能な装置の第１の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図５】第２の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図６】本発明に係る画像表示状態と奥行照明状態とが切替可能な装置の第２の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図７】第３の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図８】本発明に係る画像表示状態と奥行照明状態とが切替可能な装置の第３の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図９】第４の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１０】本発明に係る画像表示状態と奥行照明状態とが切替可能な装置の第４の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１１】第５の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１２】本発明に係る画像表示状態と奥行照明状態とが切替可能な装置の第５の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１３】第６の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１４】本発明に係る画像表示状態と奥行照明状態とが切替可能な装置の第６の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１５】第７の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１６】本発明に係る画像表示状態と奥行照明状態とが切替可能な装置の第７の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１７】第８の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【図１８】本発明に係る画像表示状態と奥行照明状態とが切替可能な装置の第８の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【発明を実施するための形態】
【００１３】
図３は第１の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【００１４】
図３の（Ａ）において、画像表示ユニットとしての液晶画像表示ユニット１Ａは、バックライト（ＢＬＵ）１１、透過軸９時−３時方位の吸収型直線偏光板１２、薄膜トランジスタＴＦＴ駆動型液晶表示（ＴＦＴＬＣＤ）セル１３及び透過軸１２時−６時方位の吸収型直線偏光板１４よりなる。ＴＦＴＬＣＤセル１３は、たとえば垂直配向モードまたはインプレーンスイッチングモード液晶セルであり、２つの吸収型直線偏光板１２、１４に近接させることによりノーマリブラックモードとして作用する。
【００１５】
ミラースイッチとしての直線偏光型液晶ミラースイッチ２Ａは、透過軸１２時−６時方位の反射型直線偏光板２１、能動光学素子としての液晶ミラーセル２２及び透過軸１２時−６時方位の吸収型直線偏光板２３よりなる。液晶ミラーセル２２は、たとえばＴＮモード液晶セルを用いる。この場合、電圧無印加時には、入射直線偏光は９０°回転し、電圧印加時には入射直線偏光は回転しない。つまり、電圧印加及び電圧無印加に応じて入射直線偏光を回転及び無回転させて出射する。また、電圧無印加時には、入射円偏光は反転し、電圧印加時には入射円偏光は反転しない。尚、液晶ミラーセル２２に近接する吸収型直線偏光板２３の透過軸を９０°回転させれば、液晶ミラーセル２２として垂直配向モード液晶セルを用いることもできる。
【００１６】
電圧無印加時の液晶ミラーセル２２のミラー状態における画面表示遮光を図３の（Ｂ）を参照して説明する。この場合、液晶画像表示ユニット１Ａを駆動する。
【００１７】
液晶画像表示ユニット１Ａにおいて、バックライト１１からの自然光（ランダム偏光）１１ａは吸収型直線偏光板１２によって９時−３時方位の振動方向の直線偏光１２ａに変換されてＴＦＴＬＣＤセル１３に入射する。ＴＦＴＬＣＤセル１３においては、暗状態では、偏光状態は変化せず、他方、明状態では、偏光状態は変化し、たとえば、直線偏光は９０°回転して１２時−６時方位の振動方向を有する直線偏光に変調される。吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【００１８】
次に、直線偏光型液晶ミラースイッチ２Ａにおいて、反射型直線偏光板２１が１２時−６時方位に振動する直線偏光１４ａを透過し、その直交方向に振動する偏光を反射する。従って、ＴＦＴＬＣＤセル１３の明状態画像は反射型直線偏光板２１を透過する。反射型直線偏光板２１を透過した明状態画像の直線偏光１４ａは液晶ミラーセル２２によって９０°回転されて直線偏光２２ａとなり、吸収型直線偏光板２３の透過軸に直交することになる。従って、直線偏光２２ａは吸収型直線偏光板２３に吸収されて消滅する。この結果、最表面のハーフミラー４側から観察しても画像表示は遮光されて観察されない。
【００１９】
電圧印加時の液晶ミラーセル２２の透過状態における画面表示透過を図３の（Ｃ）を参照して説明する。この場合も、液晶画像表示ユニット１Ａを駆動する。
【００２０】
図３の（Ｃ）においても、ＴＦＴＬＣＤセル１３の明状態画像が反射型直線偏光板２１を透過するまでは、図３の（Ｂ）の場合と同様である。しかし、反射型直線偏光板２１を透過した明状態画像の直線偏光１４ａの振動方位は液晶ミラーセル２２にて変化せずに吸収型直線偏光板２３に入射する。従って、吸収型直線偏光板２３に入射した直線偏光１４ａは吸収型直線偏光板２３の透過軸と平行となるので、吸収型直線偏光板２３を透過する。その後、直線偏光１４ａは最表面のハーフミラー４によって輝度がほぼ半減されて直線偏光４ａとなり、画像は最表面のハーフミラー４側から観察することができるが、画像品質が低下する。尚、この場合、ハーフミラー４の面法線より斜め方向から観察した際には、液晶ミラーセル２２の視角特性の影響により画像の輪郭が二重に見える輪郭ぼけが発生することもある。
【００２１】
このように、直線偏光型液晶ミラースイッチ２Ａの液晶ミラーセル２２をミラー状態と透過状態とに制御することにより画面表示遮光及び画面表示透過の切替を行える。
【００２２】
電圧無印加時の液晶ミラーセル２２のミラー状態における奥行照明を図３の（Ｄ）を参照して説明する。この場合、光源３を駆動する。
【００２３】
光源３の照明光３ａは全方位に対してランダムに振動する自然光である。照明光３ａは表側のハーフミラー４及び裏側の直線偏光型液晶ミラースイッチ２Ａの両方に伝播する。ハーフミラー４側に伝播した光は半分減光して光４ａ’としてハーフミラー４を透過すると共に、残り半分の反射光は直線偏光型液晶ミラースイッチ２Ａに向かう。直線偏光型液晶ミラースイッチ２Ａに向った反射光及び直接伝播した照明光は吸収型直線偏光板２３にて１２時−６時方位の振動の直線偏光２３ａに変換され、さらに、液晶ミラーセル２２によって９０°回転されて直線偏光２２ａとして反射型直線偏光板２１に入射する。反射型直線偏光板２１に入射した直線偏光２２ａはすべて反射型直線偏光板２１によって反射されてハーフミラー４側に向かう。その際、液晶ミラーセル２２によって９０°回転されて元の振動方位に戻る。ハーフミラー４に到達した光はさらに半分減光してハーフミラー４を透過し、残りが再び反射される。このような多重反射を繰り返し、反射型直線偏光板２１の裏側にＬＥＤ素子３１の反射虚像が等間隔で観察されて奥行感を有するように感じられる。この現象はハーフミラー４の面法線方向からの正面観察時に多重反射が重複するので観察されにくいが、ハーフミラー４の面法線から傾斜した方向から観察すると多重反射像が明確に観察される。
【００２４】
電圧印加時の液晶ミラーセル２２の透過状態における奥行照明停止を図３の（Ｅ）を参照して説明する。この場合も、光源３を駆動する。
【００２５】
この場合も、光源３の照明光３ａは表側のハーフミラー４及び裏側の直線偏光型液晶ミラースイッチ２Ａの両方に伝播する。ハーフミラー４側に伝播した光は半分減光して光４ａ’としてハーフミラー４を透過すると共に、残り半分の反射光は直線偏光型液晶ミラースイッチ２Ａに向かう。直線偏光型液晶ミラースイッチ２Ａではこの反射光及び直接伝播した照明光は吸収型直線偏光板２３にて１２時−６時方位の振動の直線偏光２３ａに変換され、液晶ミラーセル２２では直線偏光２３ａの振動方位は変化せずに反射型直線偏光板２１に入射する。反射型直線偏光板２１に入射した直線偏光２３ａの振動方位は反射型直線偏光板２１の１２時−６時方位の透過軸と平行であるので、反射型直線偏光板２１を透過する。従って、多重反射は発生しない。
【００２６】
このように、直線偏光型液晶ミラースイッチ２Ａの液晶ミラーセル２２をミラー状態と透過状態とに制御することにより奥行照明（多重反射）及び奥行照明停止（多重反射なし）の切り替えを行える。また、直線偏光型液晶ミラースイッチ２Ａの液晶ミラーセル２２の駆動電圧を制御することによりその中間状態も実現できる。
【００２７】
図４は本発明に係る画像表示状態と奥行照明状態とが切替可能な装置の第１の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【００２８】
図４の（Ａ）において、図３の（Ａ）のハーフミラー４の代りに、透過軸１２時−６時方位の振動方向を有する反射型直線偏光板５Ａを設ける。
【００２９】
電圧無印加時の液晶ミラーセル２２のミラー状態における画面表示遮光は、図４の（Ｂ）のごとくであり、図３の（Ｂ）の場合と同一である。つまり、反射型直線偏光板２１を透過した明状態画像の直線偏光１４ａは液晶ミラーセル２２によって９０°回転されて直線偏光２２ａとなり、吸収型直線偏光板２３の透過軸に直交することになる。従って、直線偏光２２ａは吸収型直線偏光板２３に吸収されて消滅する。この結果、最表面の反射型直線偏光板５Ａ側から観察しても画像表示は遮光されて観察されない。
【００３０】
電圧印加時の液晶ミラーセル２２の透過状態における画面表示透過を図４の（Ｃ）を参照して説明する。この場合も、液晶画像表示ユニット１Ａを駆動する。
【００３１】
図４の（Ｃ）においても、ＴＦＴＬＣＤセル１３の明状態画像が反射型直線偏光板２１を透過するまでは、図４の（Ｂ）の場合と同様である。また、反射型直線偏光板２１を透過した明状態画像の直線偏光１４ａの振動方位は液晶ミラーセル２２にて変化せずに吸収型直線偏光板２３に入射する。従って、吸収型直線偏光板２３に入射した直線偏光１４ａは最表面の反射型直線偏光板５Ａの透過軸と平行となるので、輝度が減少されずに反射型直線偏光板５Ａを透過する。従って、画像は最表面の反射型直線偏光板５Ａ側から観察することができ、画像品質はほとんど低下しない。また、この場合、反射型直線偏光板５Ａの面法線より斜め方向から観察した際には、画像の輪郭が二重に見える輪郭ぼけも発生しない。
【００３２】
このように、直線偏光型液晶ミラースイッチ２Ａの液晶ミラーセル２２をミラー状態と透過状態とに制御することにより画面表示遮光及び減光のない画面表示透過の切替を行える。
【００３３】
電圧無印加時の液晶ミラーセル２２のミラー状態における奥行照明を図４の（Ｄ）を参照して説明する。この場合、光源３を駆動する。
【００３４】
光源３の照明光３ａは全方位に対してランダムに振動する自然光である。照明光３ａは表側の反射型直線偏光板５Ａ及び裏側の直線偏光型液晶ミラースイッチ２Ａの両方に伝播する。反射型直線偏光板５Ａ側に伝播した光のうち１２時−６時方位の透過軸に平行な直線偏光５ａは反射型直線偏光板５Ａを透過すると共に、透過軸に直交する振動方向の直線偏光５ｂは反射型直線偏光板５Ａによって反射されて吸収型直線偏光板２３によって吸収されて消滅する。従って、直線偏光５ｂによる多重反射はない。他方、光源３から直線偏光型液晶ミラースイッチ２Ａに直接伝播された光は吸収型直線偏光板２３にて１２時−６時方位の振動の直線偏光２３ａに変換され、さらに、液晶ミラーセル２２によって９０°回転されて直線偏光２２ａとして反射型直線偏光板２１に入射する。反射型直線偏光板２１に入射した直線偏光２２ａはすべて反射型直線偏光板２１によって反射されて反射型直線偏光板５Ａ側に向かう。その際、液晶ミラーセル２２によって９０°回転されて元の振動方位に戻る。反射型直線偏光板５Ａに到達した光のうち反射型直線偏光板５Ａの１２時−６時方位の透過軸と平行な直線偏光はさらに反射型直線偏光板５Ａを透過し、残りが再び反射される。このように、照射光３ａの直線偏光型液晶ミラースイッチ２Ａに伝播した光による多重反射を繰り返し、反射型直線偏光板２１の裏側にＬＥＤ素子３１の反射虚像が等間隔で観察されて奥行感を有するように感じられる。この現象は反射型直線偏光板５Ａの面法線方向からの正面観察時に多重反射が重複するので観察されにくいが、反射型直線偏光板５Ａの面法線から傾斜した方向から観察すると多重反射像が明確に観察される。
【００３５】
電圧印加時の液晶ミラーセル２２の透過状態における奥行照明停止を図４の（Ｅ）を参照して説明する。この場合も、光源３を駆動する。
【００３６】
図４の（Ｄ）の場合と同様に、光源３の照明光３ａは全方位に対してランダムに振動する自然光である。照明光３ａは表側の反射型直線偏光板５Ａ及び裏側の直線偏光型液晶ミラースイッチ２Ａの両方に伝播する。反射型直線偏光板５Ａ側に伝播した光のうち１２時−６時方位の透過軸に平行な直線偏光５ａは反射型直線偏光板５Ａを透過すると共に、透過軸に直交する振動方向の直線偏光５ｂは反射型直線偏光板５Ａによって反射されて吸収型直線偏光板２３によって吸収されて消滅する。従って、直線偏光５ｂによる多重反射はない。他方、光源３から直線偏光型液晶ミラースイッチ２Ａに直接伝播された光は吸収型直線偏光板２３にて１２時−６時方位の振動の直線偏光２３ａに変換され、さらに、液晶ミラーセル２２による変化を受けず直線偏光２３ａとして反射型直線偏光板２１に入射する。反射型直線偏光板２１に入射した直線偏光２３ａは反射型直線偏光板２１の透過軸に平行しているので、反射型直線偏光板２１を透過する。従って、照射光３ａの直線偏光型液晶ミラースイッチ２Ａに伝播した光による多重反射もない。
【００３７】
このように、直線偏光型液晶ミラースイッチ２Ａの液晶ミラーセル２２をミラー状態と透過状態とに制御することにより奥行照明（多重反射）及び奥行照明停止（多重反射なし）の切り替えを行える。また、直線偏光型液晶ミラースイッチ２Ａの液晶ミラーセル２２の駆動電圧を制御することによりその中間状態も実現できる。
【００３８】
図５は第２の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【００３９】
図５の（Ａ）においては、図３の（Ａ）の直線偏光型液晶ミラースイッチ２Ａの代りに、円偏光型液晶ミラースイッチ２Ｂを設ける。円偏光型液晶ミラースイッチ２Ｂは、吸収型直線偏光板１４の透過軸に対して遅相軸が４５°に配置された１／４波長板１２１、反射型円偏光板（たとえば右回転円偏光板）１２２、図３の（Ａ）の液晶ミラーセル２２と同一の液晶ミラーセル１２３、１／４波長板１２１の遅相軸と直交する遅相軸が配置された１／４波長板１２４、及び１／４波長板１２４の遅相軸に対して４５°方位の透過軸を有する吸収型直線偏光板１２５よりなる。液晶ミラーセル１２３は、電圧無印加時には、たとえば右回転円偏光を左回転円偏光に反転させるミラー状態となり、他方、電圧印加時にはそのまま透過する透過状態となる。つまり、電圧印加及び電圧無印加に応じて入射円偏光の回転方向を反転及び無反転させて出射する。
【００４０】
電圧無印加時の液晶ミラーセル１２３のミラー状態における画面表示遮光を図５の（Ｂ）を参照して説明する。この場合、液晶画像表示ユニット１Ａを駆動する。
【００４１】
液晶画像表示ユニット１Ａにおいて、図３の（Ｂ）の場合と同様に、吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【００４２】
次に、円偏光型液晶ミラースイッチ２Ｂにおいて、１／４波長板１２１が１２時−６時方位に振動する直線偏光１４ａをたとえば右回転円偏光１２１ａに変換する。この場合、吸収型直線偏光板１４及び１／４波長板１２１の組合せは吸収型円偏光板を構成している。右回転円偏光１２１ａは反射型円偏光板１２２を透過する。反射型円偏光板１２２を透過した明状態画像の右回転円偏光１２１ａは液晶ミラーセル１２３において１／２波長板によって左回転円偏光１２３ａに反転される。この左回転円偏光１２３ａは１／４波長板１２４によって９時−３時方位に振動する直線偏光１２４ａに変換され、吸収型直線偏光板１２５の透過軸に直交することになる。従って、直線偏光１２４ａは吸収型直線偏光板１２５に吸収されて消滅する。この結果、最表面のハーフミラー４側から観察しても画像表示は遮光されて観察されない。
【００４３】
電圧印加時の液晶ミラーセル１２３の透過状態における画面表示透過を図５の（Ｃ）を参照して説明する。この場合も、液晶画像表示ユニット１Ａを駆動する。
【００４４】
図５の（Ｃ）においても、ＴＦＴＬＣＤセル１３の明状態画像が反射型円偏光板１２２を透過するまでは、図５の（Ｂ）の場合と同様である。しかし、反射型円偏光板１２２を透過した明状態画像の右回転円偏光１２１ａは液晶ミラーセル１２３にて変化せずに１／４波長板１２４に入射する。従って、右回転円偏光１２１ａは１／４波長板１２４によって１２時−６時方位に振動する直線偏光１２４ｂに変換され、吸収型直線偏光板１２５に入射する。吸収型直線偏光板１２５に入射した直線偏光１２４ｂは吸収型直線偏光板１２５の透過軸と平行となるので、吸収型直線偏光板１２５を透過する。その後、直線偏光１２４ａは最表面のハーフミラー４によって輝度がほぼ半減されて直線偏光４ａとなり、画像は最表面のハーフミラー４側から観察することができるが、画像品質が低下する。尚、この場合、ハーフミラー４の面法線より斜め方向から観察した際には、液晶ミラーセル１２３の視角特性の影響により画像の輪郭が二重に見える輪郭ぼけが発生することもある。
【００４５】
このように、円偏光型液晶ミラースイッチ２Ｂの液晶ミラーセル１２２をミラー状態と透過状態とに制御することにより画面表示遮光及び画面表示透過の切替を行える。
【００４６】
電圧無印加時の液晶ミラーセル１２３のミラー状態における奥行照明を図５の（Ｄ）を参照して説明する。この場合、光源３を駆動する。
【００４７】
光源３の照明光３ａは全方位に対してランダムに振動する自然光である。照明光３ａは表側のハーフミラー４及び裏側の円偏光型液晶ミラースイッチ２Ｂの両方に伝播する。ハーフミラー４側に伝播した光は半分減光して光４ａ’としてハーフミラー４を透過すると共に、残り半分の反射光は円偏光型液晶ミラースイッチ２Ｂに向かう。円偏光型液晶ミラースイッチ２Ｂに向った反射光及び直接伝播した光は吸収型直線偏光板１２５にて１２時−６時方位の振動の直線偏光１２５ａに変換され、さらに、１／４波長板１２４によって右回転偏光１２４ｃに変換され、さらに、液晶ミラーセル１２３によって反転されて左回転円偏光１２３ｂとして反射型円偏光板１２２に入射する。反射型円偏光板１２２に入射した左回転円偏光１２３ｂはすべて反射型円偏光板１２２によって反射されてハーフミラー４側に向かう。その際、液晶ミラーセル１２３によって反転されて元の振動方位に戻る。ハーフミラー４に到達した光はさらに半分減光してハーフミラー４を透過し、残りが再び反射される。このような多重反射を繰り返し、反射型円偏光板１２２の裏側にＬＥＤ素子３１の反射虚像が等間隔で観察されて奥行感を有するように感じられる。この現象はハーフミラー４の面法線方向からの正面観察時に多重反射が重複するので観察されにくいが、ハーフミラー４の面法線から傾斜した方向から観察すると多重反射像が明確に観察される。
【００４８】
電圧印加時の液晶ミラーセル１２３の透過状態における奥行照明停止を図５の（Ｅ）を参照して説明する。この場合も、光源３を駆動する。
【００４９】
この場合も、光源３の照明光３ａは表側のハーフミラー４及び裏側の円偏光型液晶ミラースイッチ２Ｂの両方に伝播する。ハーフミラー４側に伝播した光は半分減光して光４ａ’としてハーフミラー４を透過すると共に、残り半分の反射光は円偏光型液晶ミラースイッチ２Ｂに向かう。円偏光型液晶ミラースイッチ２Ｂではこの反射光及び直接伝播した照明光は吸収型直線偏光板１２５にて１２時−６時方位の振動の直線偏光１２５ａに変換され、さらに、１／４波長板１２４によって右回転偏光１２４ｃに変換されるが、液晶ミラーセル１２３では右回転円偏光１２４ｃの振動方位は変化せずに反射型円偏光板１２２に入射して透過する。
【００５０】
このように、円偏光型液晶ミラースイッチ２Ｂの液晶ミラーセル１２３をミラー状態と透過状態とに制御することにより奥行照明（多重反射）及び奥行照明停止（多重反射なし）の切り替えを行える。また、円偏光型液晶ミラースイッチ２Ｂの液晶ミラーセル１２３の駆動電圧を制御することによりその中間状態も実現できる。
【００５１】
図６は本発明に係る画像表示状態と奥行照明状態とが切替可能な装置の第２の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無反射）を説明するための図である。
【００５２】
図６の（Ａ）においては、図５の（Ａ）の円偏光型液晶ミラースイッチ２Ｂの代りに、１／４波長板１２１、反射型円偏光板１２２及び液晶ミラーセル１２３のみよりなる円偏光型液晶ミラースイッチ２Ｂ’を設ける。また、図５の（Ａ）のハーフミラー４の代りに、反射型円偏光板（たとえば右回転円偏光板）５Ｂを設ける。これにより、図５の第２の比較具体例に比較して部品数も削減できる。
【００５３】
電圧無印加時の液晶ミラーセル１２３のミラー状態における画面表示遮光を図６の（Ｂ）を参照して説明する。この場合、液晶画像表示ユニット１Ａを駆動する。
【００５４】
液晶画像表示ユニット１Ａにおいて、図５の（Ｂ）の場合と同様に、吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【００５５】
次に、円偏光型液晶ミラースイッチ２Ｂ’において、１／４波長板１２１は１２時−６時方位に振動する直線偏光１４ａをたとえば右回転円偏光１２１ａに変換する。この場合、吸収型直線偏光板１４及び１／４波長板１２１の組合せは吸収型円偏光板を構成している。右回転円偏光１２１ａは反射型円偏光板１２２を透過する。反射型円偏光板１２２を透過した明状態画像の右回転円偏光１２１ａは液晶ミラーセル１２３において１／２波長板によって左回転円偏光１２３ａに反転される。この左回転円偏光１２３ａは右回転円偏光板である反射型円偏光板５Ｂに反射されて遮光される。この結果、最表面の反射型円偏光板５Ｂ側から観察しても画像表示は遮光されて観察されない。
【００５６】
電圧印加時の液晶ミラーセル１２３の透過状態における画面表示透過を図６の（Ｃ）を参照して説明する。この場合も、液晶画像表示ユニット１Ａを駆動する。
【００５７】
図６の（Ｃ）においても、ＴＦＴＬＣＤセル１３の明状態画像が反射型円偏光板１２２を透過するまでは、図６の（Ｂ）の場合と同様である。しかし、反射型円偏光板１２２を透過した明状態画像の右回転円偏光１２１ａは液晶ミラーセル１２３にて変化せずに反射型円偏光板５Ｂに入射する。反射型円偏光板５Ｂに入射した右回転円偏光１２１ａは反射型円偏光板５Ｂの透過円偏光回転方向と同一となるので、輝度を減少することなく、反射型円偏光板５Ｂを透過する。従って、画像は最表面の反射型円偏光板５Ｂ側から観察することができ、画像品質の低下はほとんどない。また、反射型円偏光板５Ｂの面法線より斜め方向から観察した際には、画像の輪郭が二重に見える輪郭ぼけの発生もない。
【００５８】
このように、円偏光型液晶ミラースイッチ２Ｂ’の液晶ミラーセル１２２をミラー状態と透過状態とに制御することにより画面表示遮光及び画面表示透過の切替を行える。
【００５９】
電圧無印加時の液晶ミラーセル１２３のミラー状態における奥行照明を図６の（Ｄ）を参照して説明する。この場合、光源３を駆動する。
【００６０】
光源３の照明光３ａは全方位に対してランダムに振動する自然光である。照明光３ａは表側の反射型円偏光板５Ｂ及び裏側の円偏光型液晶ミラースイッチ２Ｂ’の両方に伝播する。反射型円偏光板５Ｂ側に伝播した光のうち右回転円偏光５ｃは反射型円偏光板５Ｂを透過すると共に、残りは左回転円偏光５ｄとして円偏光型液晶ミラースイッチ２Ｂ’に向かう。円偏光型液晶ミラースイッチ２Ｂ’に向った左回転円偏光５ｄは液晶ミラーセル１２３によって反転されて右回転円偏光１２３ｃとして反射型円偏光板１２２を透過する。他方、光源３から円偏光型液晶ミラースイッチ２Ｂ’に直接伝播した光は右回転偏光１２２ａ及び左回転偏光１２２ｂに分離される。右回転偏光１２２ａは反射型円偏光板１２２を透過する。左回転偏光１２２ｂは反射型円偏光板１２２によって反射され、液晶ミラーセル１２３において反転されて右回転偏光１２３ｄとなり、反射型円偏光板５Ｂを透過する。この場合、光源３の照明光３ａはランダム偏光であるので、ＬＥＤ素子３１から液晶ミラーセル１２３に対して法線方向から傾斜した方向で入射し、多重反射状態を実現する。
【００６１】
電圧印加時の液晶ミラーセル１２３の透過状態における奥行照明停止を図６の（Ｅ）を参照して説明する。この場合も、光源３を駆動する。
【００６２】
光源３の照明光３ａは全方位に対してランダムに振動する自然光である。照明光３ａは表側の反射型円偏光板５Ｂ及び裏側の円偏光型液晶ミラースイッチ２Ｂ’の両方に伝播する。反射型円偏光板５Ｂ側に伝播した光のうち右回転円偏光５ｃは反射型円偏光板５Ｂを透過すると共に、残りは左回転円偏光５ｄとして円偏光型液晶ミラースイッチ２Ｂ’に向かう。円偏光型液晶ミラースイッチ２Ｂ’に向った左回転円偏光５ｄは液晶ミラーセル１２３による変換を受けず反射型円偏光板１２２によって反射される。反射型円偏光板１２２によって反射された左回転円偏光５ｄは液晶ミラーセル１２３による変換を受けずに反射型円偏光板５Ｂに再び入射して反射される。つまり、左回転円偏光５ｄは２つの反射型円偏光板５Ｂ、１２２間で多重反射し、外部に出射されることはない。他方、光源３から円偏光型液晶ミラースイッチ２Ｂ’に直接伝播した光は右回転偏光１２２ａ及び左回転偏光１２２ｂに分離される。右回転偏光１２２ａは反射型円偏光板１２２を透過する。左回転偏光１２２ｂは反射型円偏光板１２２によって反射され、液晶ミラーセル１２３による変換を受けずに、反射型円偏光板５Ｂを入射して反射される。つまり、左回転円偏光１２２ｂも２つの反射型円偏光板５Ｂ、１２２間で多重反射し、外部に出射されることはない。従って、多重反射による奥行照明は形成されない。
【００６３】
このように、円偏光型液晶ミラースイッチ２Ｂ’の液晶ミラーセル１２２をミラー状態と透過状態とに制御することにより奥行照明及び奥行照明停止の切替を行える。また、円偏光型液晶ミラースイッチ２Ｂ’の駆動電圧を制御することによりその中間状態も実現できる。
【００６４】
図７は第３の比較具体例としての画像表示状態と奥行照明状態とが切替可能な装置を示し、（Ａ）は分解図、（Ｂ）は画面表示遮断を説明するための図、（Ｃ）は画面表示透過を説明するための図、（Ｄ）は奥行照明（多重反射）を説明するための図、（Ｅ）は非奥行照明（無多重反射）を説明するための図である。
【００６５】
図７の（Ａ）においては、図３の（Ａ）の液晶画像表示ユニット１Ａの代わりに、液晶画像表示ユニット１Ａ’を設ける。すなわち、液晶画像表示ユニット１Ａ’においては、図３の（Ａ）の液晶画像表示ユニット１Ａの構成要素に対して、吸収型直線偏光板１２の透過軸に対してその遅相軸が４５゜に配置された１/４波長板１５と、１/４波長板１５の遅相軸と直交した遅相軸を有する１/４波長板１６とを付加してある。
【００６６】
電圧無印加時のミラー液晶セル２２のミラー状態における画面表示を図７の（Ｂ）を参照して説明する。この場合、液晶画像表示ユニット１Ａ’を駆動する。
【００６７】
液晶画像表示ユニット１Ａ’において、バックライト１１からの自然光（ランダム偏光）１１ａは吸収型直線偏光板１２によって９時−３時方位の振動方向の直線偏光１２ａに変換され、さらに、１/４波長板１５によってたとえば右回転円偏光１５ａに変換されてＴＦＴＬＣＤセル１３に入射する。ＴＦＴＬＣＤセル１３においては、暗状態では、偏光状態は変化せず、他方、明状態では、偏光状態は変化し、たとえば、右回転円偏光を反転させて左回転偏光とする。さらに、円偏光は１/４波長板１６によって直線偏光１６ａに変換される。たとえば、暗状態であれば、９時−３時方位の振動の直線偏光となり、明状態であれば、１２時−６時方位の振動の直線偏光となる。吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【００６８】
次の直線偏光型液晶ミラースイッチ２Ａの動作は図３の（Ｂ）の場合と同様である。すなわち、直線偏光１４ａは反射型直線偏光板２１を透過して液晶ミラーセル２２によって９０°回転されて直線偏光２２ａとなり、この直線偏光２２ａは吸収型直線偏光板２３に吸収されて消滅する。この結果、最表面のハーフミラー４側から観察しても画像表示は遮光されて観察されない。
【００６９】
電圧印加時の液晶ミラーセル２２の透過状態における画面表示透過を図７の（Ｃ）を参照して説明する。この場合も、液晶画像表示ユニット１Ａ’を駆動する。
【００７０】
図７の（Ｃ）においても、ＴＦＴＬＣＤセル１３の明状態画像が反射型直線偏光板２１を透過するまでは、図７の（Ｂ）の場合と同様である。従って、次の直線偏光型液晶ミラースイッチ２Ａ、ハーフミラー４の動作も図３の（Ｂ）の場合と同様である。この結果、直線偏光１４ａは最表面のハーフミラー４によって輝度がほぼ半減されて直線偏光４ａとなり、画像は最表面のハーフミラー４側から観察することができるが、画像品質が低下する。尚、この場合、ハーフミラー４の面法線より斜め方向から観察した際には、液晶ミラーセル２２の視角特性の影響により画像の輪郭が二重に見える輪郭ぼけが発生することもある。
【００７１】
このように、直線偏光型液晶ミラースイッチ２Ａの液晶ミラーセル２２をミラー状態と透過状態とに制御することにより画面表示遮光及び画面表示透過の切替を行える。
【００７２】
電圧無印加時の液晶ミラーセル２２のミラー状態における奥行照明は、図７の（Ｄ）に示すごとく、図３の（Ｄ）の場合と同様であり、多重反射が形成される。
【００７３】
電圧印加時の液晶ミラーセル２２の透過状態における奥行照明停止は、図７の（Ｅ）に示すごとく、図３の（Ｅ）の場合と同様であり、多重反射は形成されない。
【００７４】
このように、直線偏光型液晶ミラースイッチ２Ａの液晶ミラーセル２２をミラー状態と透明状態とに制御することにより奥行照明（多重反射）及び奥行照明停止（多重反射なし）の切り替えを行える。また、直線偏光型液晶ミラースイッチ２Ａの駆動電圧を制御することによりその中間状態も実現できる。
【００７５】
図８は本発明に係る画像表示状態と奥行照明状態とが切替可能な装置の第３の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【００７６】
図８の（Ａ）においては、図７の（Ａ）の液晶画像表示ユニット１Ａ’の代わりに、液晶画像表示ユニット１Ａ”を設ける。液晶画像表示ユニット１Ａ”においては、図７の（Ａ）の液晶画像表示ユニット１Ａ’の１/４波長板１４及び吸収型直線偏光板１４を削除してある。また、図７の（Ａ）の直線偏光型液晶ミラースイッチ２Ｂの代りに、円偏光型液晶ミラースイッチ２Ｂ”を設ける。円偏光型液晶ミラースイッチ２Ｂ”は反射型円偏光板１２２及び液晶ミラーセル１２３よりなる。これにより、図７の第３の比較具体例に比較して部品数も削減できる。
【００７７】
電圧無印加時の液晶ミラーセル１２３のミラー状態における画面表示遮光を図８の（Ｂ）を参照して説明する。この場合、液晶画像表示ユニット１Ａ”を駆動する。
【００７８】
液晶画像表示ユニット１Ａ”において、図７の（Ｂ）の場合と同様に、バックライト１１からの自然光（ランダム偏光）１１ａは吸収型直線偏光板１２によって９時−３時方位の振動方向の直線偏光１２ａに変換され、さらに、１/４波長板１５によってたとえば左回転円偏光１５ａに変換され、ＴＦＴＬＣＤセル１３に入射する。ＴＦＴＬＣＤセル１３においては、暗状態では、偏光状態は変化せず、他方、明状態では、偏光状態は変化し、たとえば、左回転円偏光を反転させて右回転偏光１３ａとする。尚、ＴＦＴＬＣＤセル１３においては中間調状態の画素も存在するが、これらはその階調状態に則して光透過する。
【００７９】
次に、円偏光型液晶ミラースイッチ２Ｂ”において、反射型円偏光板１２２は明状態画像の右回転偏光１３ａのみを透過し、その他の光は左回転偏光として反射する。反射型円偏光板１２２を透過した明状態画像の右回転偏光１３ａは液晶ミラーセル１２３において１/２波長板によって左回転偏光１２３ａに反転される。この左回転偏光１２３ａは右回転円偏光板である反射型円偏光板５Ｂに反射されて遮光される。この結果、最表面の反射型円偏光板５Ｂから観察しても画像表示は観察されない。
【００８０】
電圧印加時の液晶ミラーセル１２３の透過状態における画面表示透過を図８の（Ｃ）を参照して説明する。この場合も、液晶画像表示ユニット１Ａ”を駆動する。
【００８１】
図８の（Ｃ）においても、ＴＦＴＬＣＤセル１３の明状態画像が反射型円偏光板１２２を透過するまでは、図８の（Ｂ）の場合と同様である。しかし、反射型円偏光板１２２を透過した明状態画像の右回転円偏光１３ａは液晶ミラーセル１２３にて変化せずに反射型円偏光板５Ｂに入射する。反射型円偏光板５Ｂに入射した右回転円偏光１３ａは反射型円偏光板５Ｂの透過円偏光回転方向と同一となるので、輝度を減少することなく、反射型円偏光板５Ｂを透過する。従って、画像は最表面の反射型円偏光板５Ｂ側から観察することができ、画像品質の低下はほとんどない。また、反射型円偏光板５Ｂの面法線より斜め方向から観察した際には、画像の輪郭が二重に見える輪郭ぼけの発生もない。
【００８２】
このように、円偏光型液晶ミラースイッチ２Ｂ”の液晶ミラーセル１２２をミラー状態と透過状態とに制御することにより画面表示遮光及び画面表示透過の切替を行える。
【００８３】
電圧無印加時の液晶ミラーセル１２３のミラー状態における奥行照明は、図８の（Ｄ）に示すごとく、図６の（Ｄ）の場合と同一である。従って、多重反射状態による奥行照明を実現できる。
【００８４】
電圧印加時の液晶ミラーセル１２３の透過状態における奥行照明停止は、図８の（Ｅ）に示すごとく、図６の（Ｅ）の場合と同一である。従って、多重反射状態による奥行照明は停止される。
【００８５】
このように、円偏光型液晶ミラースイッチ２Ｂ”の液晶ミラーセル１２３をミラー状態と透過状態とに制御することにより奥行照明及び奥行照明停止の切替を行える。また、円偏光型液晶ミラースイッチ２Ｂ”の駆動電圧を制御することによりその中間状態も実現できる。
【００８６】
図９は第４の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【００８７】
図９の（Ａ）においては、図３の（Ａ）の直線偏光型液晶ミラースイッチ２Ａの代わりに、ミラーデバイス２Ｃを設ける。ミラーデバイス２Ｃは、電解液を挟む２枚の透明電極層において、Ａｇイオンを酸化還元反応により１つの透明電極層に堆積又は電解液中に溶解させることにより電圧印加時にミラー状態又は電圧無印加時に透過状態にできるエレクトロンデポジション方式のデバイスである（参照：特許文献４）。
【００８８】
電圧印加時のミラーデバイス２Ｃのミラー状態における画面表示遮光を図９の（Ｂ）を参照して説明する。この場合、液晶画像表示ユニット１Ａを駆動する。
【００８９】
液晶画像表示ユニット１Ａにおいて、バックライト１１からの自然光（ランダム偏光）１１ａは吸収型直線偏光板１２によって９時−３時方位の振動方向の直線偏光１２ａに変換されてＴＦＴＬＣＤセル１３に入射する。ＴＦＴＬＣＤセル１３においては、暗状態では、偏光状態は変化せず、他方、明状態では、偏光状態は変化し、たとえば、直線偏光は９０°回転して１２時−６時方位の振動方向を有する直線偏光に変調される。吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【００９０】
次に、ミラーデバイス２Ｃにおいて、反射型直線偏光板２１の１２時−６時方位に振動する直線偏光１４ａは反射される。この結果、最表面のハーフミラー４側から観察しても画像表示は遮光されて観察されない。
【００９１】
電圧無印加時のミラーデバイス２Ｃの透過状態における画面表示透過を図９の（Ｃ）を参照して説明する。この場合も、液晶画像表示ユニット１Ａを駆動する。
【００９２】
図９の（Ｃ）においても、ＴＦＴＬＣＤセル１３の明状態画像が吸収型直線偏光板１４を透過するまでは、図９の（Ｂ）の場合と同様である。しかし、吸収型直線偏光板１４を透過した明状態画像の直線偏光１４ａの振動方位はミラーデバイス２Ｃにて変化せずにハーフミラー４に入射する。従って、直線偏光１４ａは最表面のハーフミラー４によって輝度がほぼ半減されて直線偏光４ａとなり、画像は最表面のハーフミラー４側から観察することができるが、画像品質が低下する。
【００９３】
このように、ミラーデバイス２Ｃをミラー状態と透過状態とに制御することにより画面表示遮光及び画面表示透過の切替を行える。
【００９４】
電圧印加時のミラーデバイス２Ｃのミラー状態における奥行照明を図９の（Ｄ）を参照して説明する。この場合、光源３を駆動する。
【００９５】
光源３の照明光３ａは全方位に対してランダムに振動する自然光である。照明光３ａは表側のハーフミラー４及び裏側のミラーデバイス２Ｃの両方に伝播する。ハーフミラー４側に伝播した光は半分減光して光４ａ’としてハーフミラー４を透過すると共に、残り半分の反射光及びミラーデバイス２Ｃに直接伝播した光はすべてミラーデバイス２Ｃによって反射されてハーフミラー４側に向かう。ハーフミラー４に到達した光はさらに半分減光してハーフミラー４を透過し、残りが再び反射される。このような多重反射を繰り返し、ミラーデバイス２Ｃの裏側にＬＥＤ素子３１の反射虚像が等間隔で観察されて奥行感を有するように感じられる。この現象はハーフミラー４の面法線方向からの正面観察時に多重反射が重複するので観察されにくいが、ハーフミラー４の面法線から傾斜した方向から観察すると多重反射像が明確に観察される。
【００９６】
電圧印加時のミラーデバイス２Ｃの透過状態における奥行照明停止を図９の（Ｅ）を参照して説明する。この場合も、光源３を駆動する。
【００９７】
この場合も、光源３の照明光３ａは表側のハーフミラー４及び裏側の直線偏光型ミラー液晶スイッチ２Ａの両方に伝播する。ハーフミラー４側に伝播した光は半分減光して光４ａ’としてハーフミラー４を透過すると共に、残り半分の反射光もミラーデバイス２Ｃに伝播する。ミラーデバイス２Ｃに直接及び間接に伝播した光はすべてミラーデバイス２Ｃを透過する。この場合、液晶画像表示ユニット１Ａに反射部材は存在しない。従って、多重反射は発生しない。
【００９８】
このように、ミラーデバイス２Ｃをミラー状態と透明状態とに制御することにより奥行照明（多重反射）及び奥行照明停止（多重反射なし）の切り替えを行える。また、ミラーデバイス２Ｃの駆動電圧を制御することにより中間状態も実現できる。
【００９９】
図１０は本発明に係る画像表示状態と奥行照明状態とが切替可能な装置の第４の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１００】
図１０の（Ａ）において、図９の（Ａ）のハーフミラー４の代りに、透過軸１２時−６時方位の振動方向を有する反射型直線偏光板５Ａを設ける。
【０１０１】
電圧印加時のミラーデバイス２２のミラー状態における画面表示遮光は、図１０の（Ｂ）のごとくであり、図９の（Ｂ）の場合と同一である。つまり、吸収型直線偏光板１４を透過した明状態画像の直線偏光１４ａはミラーデバイス２Ｃによって反射される。この結果、最表面の反射型直線偏光板５Ａ側から観察しても画像表示は遮光されて観察されない。
【０１０２】
電圧無印加時のミラーデバイス２Ｃの透過状態における画面表示透過を図１０の（Ｃ）を参照して説明する。この場合も、液晶画像表示ユニット１Ａを駆動する。
【０１０３】
図１０の（Ｃ）においても、ＴＦＴＬＣＤセル１３の明状態画像が吸収型直線偏光板１４を透過するまでは、図１０の（Ｂ）の場合と同様である。また、吸収型直線偏光板１４を透過した明状態画像の直線偏光１４ａの振動方位はミラーデバイス２Ｃにて変化せずに反射型直線偏光板５Ａに入射する。従って、反射型直線偏光板５Ａに入射した直線偏光１４ａは最表面の反射型直線偏光板５Ａの透過軸と平行となるので、輝度が減少されずに反射型直線偏光板５Ａを透過する。この結果、画像は最表面の反射型直線偏光板５Ａ側から観察することができ、画像品質はほとんど低下しない。
【０１０４】
このように、直線偏光型ミラーデバイス２Ｃをミラー状態と透過状態とに制御することにより画面表示遮光及び減光のない画面表示透過の切替を行える。
【０１０５】
電圧印加時のミラーデバイス２Ｃのミラー状態における奥行照明を図１０の（Ｄ）を参照して説明する。この場合、光源３を駆動する。
【０１０６】
光源３の照明光３ａは全方位に対してランダムに振動する自然光である。照明光３ａは表側の反射型直線偏光板５Ａ及び裏側のミラーデバイス２Ｃの両方に伝播する。反射型直線偏光板５Ａ側に伝播した光のうち１２時−６時方位の透過軸に平行な直線偏光５ａは反射型直線偏光板５Ａを透過すると共に、これ以外の光は透過軸に直交する振動方向の直線偏光５ｂとして反射型直線偏光板５Ａによって反射され、さらにミラーデバイス２Ｃによってすべて反射され、反射型直線偏光板５Ａに入射する。他方、光源３からミラーデバイス２Ｃに直接伝播された光もミラーデバイス２Ｃによって反射されて反射型直線偏光板５Ａ側に向かう。反射型直線偏光板５Ａに到達した光のうち反射型直線偏光板５Ａの１２時−６時方位の透過軸と平行な直線偏光はさらに反射型直線偏光板５Ａを透過し、残りが再び反射される。このように、照射光３ａのミラーデバイス２Ｃに伝播した光による多重反射を繰り返し、ミラーデバイス２Ｃの裏側にＬＥＤ素子３１の反射虚像が等間隔で観察されて奥行感を有するように感じられる。この現象は反射型直線偏光板５Ａの面法線方向からの正面観察時に多重反射が重複するので観察されにくいが、反射型直線偏光板５Ａの面法線から傾斜した方向から観察すると多重反射像が明確に観察される。
【０１０７】
電圧無印加時のミラーデバイス２Ｃの透過状態における奥行照明停止を図１０の（Ｅ）を参照して説明する。この場合も、光源３を駆動する。
【０１０８】
図１０の（Ｄ）の場合と同様に、光源３の照明光３ａは全方位に対してランダムに振動する自然光である。照明光３ａは表側の反射型直線偏光板５Ａ及び裏側のミラーデバイス２Ｃの両方に伝播する。反射型直線偏光板５Ａ側に伝播した光のうち１２時−６時方位の透過軸に平行な直線偏光５ａは反射型直線偏光板５Ａを透過すると共に、それ以外の光は透過軸に直交する振動方向の直線偏光５ｂとして反射型直線偏光板５Ａによって反射され、ミラーデバイス２Ｃに伝播されて透過する。他方、光源３からミラーデバイス２Ｃに直接伝播された光もミラーデバイス２Ｃを透過する。この場合、液晶画像表示ユニット１Ａには反射部材は存在しない。従って、照射光３ａのミラーデバイス２Ｃに伝播した光による多重反射はない。
【０１０９】
このように、ミラーデバイス２Ｃをミラー状態と透過状態とに制御することにより奥行照明（多重反射）及び奥行照明停止（多重反射なし）の切り替えを行える。また、ミラーデバイス２Ｃの駆動電圧を制御することによりその中間状態も実現できる。
【０１１０】
図１１は第５の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１１１】
図１１の（Ａ）においては、図９の（Ａ）の液晶画像表示ユニット１Ａの代りに、有機エレクトロルミネセンス（ＥＬ）画像表示ユニット１Ｂを設ける。有機ＥＬ画像表示ユニット１Ｂは、有機ＥＬ（ＯＬＥＤ）セル１１’、１／４波長板１２’及び吸収型直線偏光板１３’よりなる。この場合、１／４波長板１２’の遅相軸と吸収型直線偏光板１３’の透過軸は４５°をなしており、吸収型直線偏光板１３’及び１／４波長板１２’は円偏光板として作用する。この円偏光板は、吸収型直線偏光板１３’側から光が入射した場合に、ＯＬＥＤセル１１’の陰極から反射される光を遮光する反射防止作用を有する。
【０１１２】
電圧印加時のミラーデバイス２Ｃのミラー状態における画面表示遮光を図１１の（Ｂ）を参照して説明する。この場合、有機ＥＬ画像ユニット１ＢのＯＬＥＤセル１１’を駆動する。
【０１１３】
有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａはミラーデバイス２Ｃによって反射（遮光）されるので、ハーフミラー４側から画像表示は観察されない。
【０１１４】
電圧無印加時のミラーデバイス２Ｃの透過状態における画面表示を図１１の（Ｃ）を参照して説明する。この場合、有機ＥＬ画像ユニット１ＢのＯＬＥＤセル１１’を駆動する。
【０１１５】
この場合も、有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａはミラーデバイス２Ｃを透過してハーフミラー４に到達する。この結果、直線偏光１３’ａは最表面のハーフミラー４によって輝度がほぼ半減されて直線偏光４ａとなり、画像は最表面のハーフミラー４側から観察することができるが、画像品質が低下する。
【０１１６】
このように、ミラーデバイス２Ｃをミラー状態と透過状態とに制御することにより画面表示遮光及び画面表示透過の切替を行える。
【０１１７】
電圧印加時のミラーデバイス２Ｃのミラー状態における奥行照明は図１１の（Ｄ）に示すごとく、図９の（Ｄ）の場合と同一である。
【０１１８】
つまり、光源３の照明光３ａは全方位に対してランダムに駆動する自然光である。照明光３ａは表側のハーフミラー４及び裏側のミラーデバイス２Ｃの両方に伝播する。ハーフミラー４側に伝播した光は半分減光して光４ａ’としてハーフミラー４を透過すると共に、残り半分の反射光及びミラーデバイス２Ｃに直接伝播した光はすべてミラーデバイス２Ｃによって反射されてハーフミラー４側に向かう。ハーフミラー４に到達した光はさらに半分減光してハーフミラー４を透過し、残りが再び反射される。このような多重反射を繰り返し、ミラーデバイス２Ｃの裏側にＬＥＤ素子３１の反射虚像が等間隔で観察されて奥行感を有するように感じられる。この現象はハーフミラー４の面法線方向からの正面観察時に多重反射が重複するので観察されにくいが、ハーフミラー４の面法線から傾斜した方向から観察すると多重反射像が明確に観察される。
【０１１９】
電圧無印加時のミラーデバイス２Ｃの透過状態における奥行照明停止は、図１１の（Ｅ）に示すごとく、図９の（Ｅ）の場合と同一である。
【０１２０】
つまり、光源３の照明光３ａは表側のハーフミラー４及び裏側のミラーデバイス２Ｃの両方に伝播する。ハーフミラー４側に伝播した光は半分減光して光４ａ’としてハーフミラー４を透過すると共に、残り半分の反射光もミラーデバイス２Ｃに伝播する。ミラーデバイス２Ｃに直接及び間接に伝播した光はすべてミラーデバイス２Ｃを透過する。この場合、有機ＥＬ画像表示ユニット１Ｂに反射部材は存在しない。従って、多重反射は発生しない。
【０１２１】
このように、ミラーデバイス２Ｃをミラー状態と透過状態とに制御することにより奥行照明（多重反射）及び奥行照明停止（多重反射なし）の切り替えを行える。また、ミラーデバイス２Ｃの駆動電圧を制御することにより中間状態も実現できる。
【０１２２】
図１２は本発明に係る画像表示状態と奥行照明状態とが切替可能な装置の第５の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無反射）を説明するための図である。
【０１２３】
図１２の（Ａ）においては、図１１の（Ａ）の有機ＥＬ画像表示ユニット１Ｂの代りに、有機ＥＬ画像表示ユニット１Ｂ’を設け、有機ＥＬ画像表示ユニット１Ｂ’は、有機ＥＬセル１１’及び右回転円偏光板１４’よりなる。また、図１１の（Ａ）のハーフミラー４の代りに、右回転円偏光板５Ｂを設ける。
【０１２４】
電圧印加時のミラーデバイス２Ｃのミラー状態における画面表示遮光を図１２の（Ｂ）を参照して説明する。この場合、有機ＥＬ画像ユニット１Ｂ’のＯＬＥＤセル１１’を駆動する。
【０１２５】
有機ＥＬ画像表示ユニット１Ｂ’において、画像表示としてＯＬＥＤセル１１’からの自然光（ランダム偏光）１１’ａは右回転の反射型円偏光板１４’に入射すると、右円偏光１４’ａを透過すると共に、残りを左円偏光として反射する。この左円偏光はＯＬＥＤセル１１’の金属陰極電極面で反射されて右円偏光として反射型円偏光板１４’に再入射する。つまり、光取出し効率が向上する。ただし、この場合、右偏光１４’ａはミラーデバイス２Ｃによって反射（遮光）されるので、ハーフミラー４側から画像表示は観察されない。
【０１２６】
電圧無印加時のミラーデバイス２Ｃの透過状態における画面表示を図１２の（Ｃ）を参照して説明する。この場合、有機ＥＬ画像ユニット１ＢのＯＬＥＤセル１１’を駆動する。
【０１２７】
この場合も、有機ＥＬ画像表示ユニット１Ｂ’において、画像表示としてＯＬＥＤセル１１’からの自然光（ランダム偏光）１１’ａは右回転の反射型円偏光板１４’に入射すると、右円偏光１４’ａを透過すると共に、残りを左円偏光として反射する。この左円偏光はＯＬＥＤセル１１’の金属陰極電極面で反射されて右円偏光として反射型円偏光板１４’に再入射する。つまり、光取出し効率が向上する。さらに、右偏光１４’ａはミラーデバイス２Ｃを透過して右回転の反射型円偏光板５Ｂに入射する。この結果、右回転円偏光１４’ａは輝度を減少されずに反射型円偏光板５Ｂを透過する。従って、画像は最表面の反射型円偏光板５Ｂ側から観察することができ、画像品質の低下はほとんどない。
【０１２８】
このように、ミラーデバイス２Ｃをミラー状態と透過状態とに制御することにより画面表示遮光及び画面表示透過の切替を行える。
【０１２９】
電圧印加時のミラーデバイス２Ｃのミラー状態における奥行照明を図１２の（Ｄ）を参照して説明する。この場合、光源３を駆動する。
【０１３０】
光源３の照明光３ａは全方位に対してランダムに振動する自然光である。照明光３ａは表側の反射型円偏光板５Ｂ及び裏側のミラーデバイス２Ｃの両方に伝播する。反射型円偏光板５Ｂ側に伝播した光のうち右回転円偏光５ｃは反射型円偏光板５Ｂを透過すると共に、左回転円偏光５ｄは反射され、さらにミラーデバイス２Ｃによって反射されて右回転円偏光２ａとなり、反射型円偏光板５Ｂに戻って透過する。他方、光源３からミラーデバイス２Ｃに直接伝播した光もミラーデバイス２Ｃによって反射され、そのうち、右回転円偏光５ｅは反射型円偏光板５Ｂを透過すると共に、残りは左回転円偏光として反射される。光源３の照明光３ａはランダム偏光であるので、ＬＥＤ素子３１からミラーデバイス２Ｃに対して法線方向から傾斜した方向で入射するので、多重反射を実現する。
【０１３１】
電圧無印加時のミラーデバイス２Ｃの透過状態における奥行照明停止は、図１２の（Ｅ）に示すごとく、図６の（Ｅ）の場合と同一である。
【０１３２】
光源３の照明光３ａは全方位に対してランダムに振動する自然光である。照明光３ａは表側の反射型円偏光板５Ｂ及び裏側のミラーデバイス２Ｃの両方に伝播する。反射型円偏光板５Ｂ側に伝播した光のうち右回転円偏光５ｃは反射型円偏光板５Ｂを透過すると共に、残りは左回転円偏光５ｄとしてミラーデバイス２Ｃに向かう。ミラーデバイス２Ｃに向った左回転円偏光５ｄはミラーデバイス２Ｃによる変換を受けず反射型円偏光板１４’によって反射される。反射型円偏光板１４’によって反射された左回転円偏光５ｄはミラーデバイス２Ｃを透過して反射型円偏光板５Ｂに再び入射して反射される。つまり、左回転円偏光５ｄは２つの反射型円偏光板５Ｂ、１４’間で多重反射し、外部に出射されることはない。他方、光源３からミラーデバイス２Ｃに直接伝播した光は右回転偏光１４’ａ及び左回転偏光１４’ｂに分離される。右回転偏光１４’ａはミラーデバイス２Ｃを透過する。左回転偏光１４’ｂは反射型円偏光板１４’によって反射され、ミラーデバイス２Ｃを透過して、反射型円偏光板５Ｂを入射して反射される。つまり、左回転円偏光１４’ｂも２つの反射型円偏光板５Ｂ、１４’間で多重反射し、外部に出射されることはない。従って、多重反射による奥行照明は形成されない。
【０１３３】
このように、ミラーデバイス２Ｃをミラー状態と透過状態とに制御することにより奥行照明及び奥行照明停止の切替を行える。また、ミラーデバイス２Ｃの駆動電圧を制御することによりその中間状態も実現できる。
【０１３４】
図１３は第６の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１３５】
図１３の（Ａ）においては、図３の（Ａ）の直線偏光型液晶ミラースイッチ２Ａの位置とハーフミラー４の位置を交換し、直線偏光型液晶ミラースイッチ２Ａを直線偏光型液晶ミラースイッチ２Ａ’とする。図１３の（Ａ）の直線偏光型液晶ミラースイッチ２Ａ’は吸収型直線偏光板２１’、液晶ミラーセル２２及び反射型直線偏光板２３’とする。
【０１３６】
電圧無印加時の液晶ミラーセル２２のミラー状態における画面表示遮光を図１３の（Ｂ）を参照して説明する。この場合、液晶画像表示ユニット１Ａを駆動する。
【０１３７】
液晶画像表示ユニット１Ａにおいて、バックライト１１からの自然光（ランダム偏光）１１ａは吸収型直線偏光板１２によって９時−３時方位の振動方向の直線偏光１２ａに変換されてＴＦＴＬＣＤセル１３に入射する。ＴＦＴＬＣＤセル１３においては、暗状態では、偏光状態は変化せず、他方、明状態では、偏光状態は変化し、たとえば、直線偏光は９０°回転して１２時−６時方位の振動方向を有する直線偏光に変調される。吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【０１３８】
次に、直線偏光１４ａはハーフミラー４によって輝度がほぼ半減された直線偏光４ａとなる。
【０１３９】
次に、直線偏光型液晶ミラースイッチ２Ａにおいて、吸収型直線偏光板２１’が１２時−６時方位に振動する直線偏光４ａを透過し、その直交方向に振動する偏光を吸収する。従って、ＴＦＴＬＣＤセル１３の明状態画像は吸収型直線偏光板２１’を透過する。吸収型直線偏光板２１’を透過した明状態画像の直線偏光４ａは液晶ミラーセル２２によって９０°回転されて直線偏光２２ａとなり、反射型直線偏光板２３’の透過軸に直交することになる。従って、直線偏光２２ａは反射型直線偏光板２３’に反射され遮光される。この結果、最表面の反射型直線偏光板２３’側から観察しても画像表示は遮光されて観察されない。
【０１４０】
電圧印加時の液晶ミラーセル２２の透過状態における画面表示透過を図１３の（Ｃ）を参照して説明する。この場合も、液晶画像表示ユニット１Ａを駆動する。
【０１４１】
図１３の（Ｃ）においても、ＴＦＴＬＣＤセル１３の明状態画像が吸収型直線偏光板２１’を透過するまでは、図１３の（Ｂ）の場合と同様である。しかし、吸収型直線偏光板２１’を透過した明状態画像の直線偏光４ａの振動方位は液晶ミラーセル２２にて変化せずに反射型直線偏光板２３’に入射する。従って、反射型直線偏光板２３’に入射した直線偏光４ａは反射型直線偏光板２３’の透過軸と平行となるので、反射型直線偏光板２３’を透過する。直線偏光４ａは既にハーフミラー４によって輝度がほぼ半減されており、画像は最表面の反射型直線偏光板２３’側から観察することができるが、画像品質が低下する。尚、この場合、反射型直線偏光板２３’の面法線より斜め方向から観察した際には、液晶ミラーセル２２の視角特性の影響により画像の輪郭が二重に見える輪郭ぼけが発生することもある。
【０１４２】
このように、直線偏光型液晶ミラースイッチ２Ａ’の液晶ミラーセル２２をミラー状態と透過状態とに制御することにより画面表示遮光及び画面表示透過の切替を行える。
【０１４３】
電圧印加時の液晶ミラーセル２２の透過状態における奥行照明を図１３の（Ｄ）を参照して説明する。この場合、光源３を駆動する。
【０１４４】
光源３の照明光３ａは全方位に対してランダムに駆動する自然光である。照明光３ａは表側の直線偏光型液晶ミラースイッチ２Ａ’及び裏側のハーフミラー４の両方に伝播する。ハーフミラー４側に伝播した光は半分減光して光４ｂとしてハーフミラー４を透過すると共に、残り半分の反射光は直線偏光型液晶ミラースイッチ２Ａ’に向かう。直線偏光型液晶ミラースイッチ２Ａ’に向った反射光及び直接伝播した照明光は吸収型直線偏光板２１’にて１２時−６時方位の振動の直線偏光２１’ａに変換され、さらに、液晶ミラーセル２２を透過して反射型直線偏光板２３’に入射する。反射型直線偏光板２３’に入射した直線偏光２１’ａはすべて反射型直線偏光板２３’を透過する。このような多重反射を繰り返し、ハーフミラー４の裏側にＬＥＤ素子３１の反射虚像が等間隔で観察されて奥行感を有するように感じられる。この現象は反射型直線偏光板２３’の面法線方向からの正面観察時に多重反射が重複するので観察されにくいが、ハーフミラー４の面法線から傾斜した方向から観察すると多重反射像が明確に観察される。
【０１４５】
電圧無印加時の液晶ミラーセル２２のミラー状態における奥行照明停止を図１３の（Ｅ）を参照して説明する。この場合も、光源３を駆動する。
【０１４６】
この場合も、光源３の照明光３ａは表側の直線偏光型液晶ミラースイッチ２Ａ’及び裏側のハーフミラー４の両方に伝播する。ハーフミラー４側に伝播した光は半分減光して光４ｂとしてハーフミラー４を透過すると共に、残り半分の反射光は直線偏光型液晶ミラースイッチ２Ａに向かう。直線偏光型液晶ミラースイッチ２Ａ’ではこの反射光及び直接伝播した照明光は吸収型直線偏光板２１にて１２時−６時方位の振動の直線偏光２１’ａに変換され、液晶ミラーセル２２によって９０°回転されて９時−３時方位の振動を有する直線偏光２２ａとして反射型直線偏光板２３’に入射する。反射型直線偏光板２３’に入射した直線偏光２２ａの振動方位は反射型直線偏光板２３’の１２時−６時方位の透過軸と直交するので、反射型直線偏光板２３’によって遮光される。従って、多重反射は発生しない。
【０１４７】
このように、直線偏光型液晶ミラースイッチ２Ａ’の液晶ミラーセル２２を透過状態とミラー状態とに制御することにより奥行照明（多重反射）及び奥行照明停止（多重反射なし）の切り替えを行える。また、直線偏光型液晶ミラースイッチ２Ａ’の液晶ミラーセル２２の駆動電圧を制御することによりその中間状態も実現できる。
【０１４８】
図１４は本発明に係る画像表示状態と奥行照明状態とが切替可能な装置の第６の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１４９】
図１４の（Ａ）においては、図１３の（Ａ）のハーフミラー４の代わりに、１２時−６時方位の振動を有する反射型直線偏光板５Ａを設けると共に、図１３の（Ａ）の直線偏光型液晶ミラースイッチ２Ａ’の代わりに、液晶ミラーセル２２及び反射型直線偏光板２３’よりなる直線偏光型液晶ミラースイッチ２Ａ”を設ける。これにより、図１３の（Ａ）の装置に比較して部品数を削減できる。
【０１５０】
電圧無印加時の液晶ミラーセル２２のミラー状態における画面表示遮光を図１４の（Ｂ）を参照して説明する。この場合、液晶画像表示ユニット１Ａを駆動する。
【０１５１】
図１４の（Ｂ）においても、図１３の（Ｂ）において、吸収型直線偏光板１４は１２時−６時方位に振動する直線偏光１４ａすなわちＴＦＴＬＣＤセル１３における明状態部分の画像のみを透過するまで同一である。
【０１５２】
次に、直線偏光１４ａは反射型直線偏光板５Ａを透過する
【０１５３】
次に、直線偏光型液晶ミラースイッチ２Ａ”において、反射型直線偏光板５Ａを透過した明状態画像の直線偏光１４ａは液晶ミラーセル２２によって９０°回転されて直線偏光２２ａとなり、反射型直線偏光板２３’の透過軸に直交することになる。従って、直線偏光２２ａは反射型直線偏光板２３’に反射されて遮光される。この結果、最表面の反射型直線偏光板２３’側から観察しても画像表示は遮光されて観察されない。
【０１５４】
電圧印加時の液晶ミラーセル２２の透過状態における画面表示透過を図１４の（Ｃ）を参照して説明する。この場合も、液晶画像表示ユニット１Ａを駆動する。
【０１５５】
図１４の（Ｃ）においても、ＴＦＴＬＣＤセル１３の明状態画像が反射型直線偏光板２１を透過するまでは、図１４の（Ｂ）の場合と同様である。しかし、反射型直線偏光板２１を透過した明状態画像の直線偏光１４ａの振動方位は液晶ミラーセル２２にて変化せずに反射型直線偏光板２３’に入射する。従って、反射型直線偏光板２３’に入射した直線偏光１４ａは反射型直線偏光板２３’の透過軸と平行となるので、反射型直線偏光板２３’を透過する。この場合、直線偏光１４ａは輝度が低減されていないので、画像は最表面の反射型直線偏光板２３’側から観察することができ、画像品質の低下はほとんどない。また、反射型直線偏光板２３’の面法線より斜め方向から観察した際にも、画像の輪郭が二重に見える輪郭ぼけが発生しない。
【０１５６】
このように、直線偏光型液晶ミラースイッチ２Ａ”の液晶ミラーセル２２をミラー状態と透過状態として制御することにより画面表示遮光及び画面表示透過の切替を行える。
【０１５７】
電圧無印加時の液晶ミラーセル２２の透過状態における奥行照明を図１４の（Ｄ）を参照して説明する。この場合、光源３を駆動する。
【０１５８】
光源３の照明光３ａは全方位に対してランダムに駆動する自然光である。照明光３ａは表側の反射型直線偏光板５Ａ”及び裏側の反射型直線偏光板５Ａの両方に伝播する。直線偏光型液晶ミラースイッチ２Ａ”側に伝播したランダム照射光３ａは液晶ミラーセル２２を透過し、反射型直線偏光板２３’において、１２時−６時方位に振動する直線偏光２３’ａを透過し、９時−３時方位に振動する直線偏光２３’ｂを反射する。反射された直線偏光２３’ｂは液晶ミラーセル２２によって偏光方位を９０°回転させられて、１２時−６時方位の直線偏光２２ａとなり、反射型直線偏光板５Ａを透過する。他方、光源３から反射型直線偏光板５Ａに直接伝播されたランダム照射光３ａは反射型直線偏光板５Ａにおいて、１２時−６時方位の直線偏光２２ｂとして透過し、９時−３時方位の直線偏光５ｂが反射させる。反射された直線偏光５ｂは液晶ミラーセル２２によって偏光方位を９０°回転させられて直線偏光２２ｂとなり、反射型直線偏光板２３’を透過する。このような多重反射を繰り返し、反射型直線偏光板５Ａの裏側にＬＥＤ素子３１の反射虚像が等間隔で観察されて奥行感を有するように感じられる。この現象は反射型直線偏光板５Ａの面法線方向からの正面観察時に多重反射が重複するので観察されにくいが、反射型直線偏光板５Ａの面法線から傾斜した方向から観察すると多重反射像が明確に観察される。
【０１５９】
電圧印加時の液晶ミラーセル２２の透過状態における奥行照明停止を図１４の（Ｅ）を参照して説明する。この場合も、光源３を駆動する。
【０１６０】
光源３の照明光３ａは全方位に対してランダムに駆動する自然光である。照明光３ａは表側の反射型直線偏光板５Ａ”及び裏側の反射型直線偏光板５Ａの両方に伝播する。直線偏光型液晶ミラースイッチ２Ａ”側に伝播したランダム照射光３ａは液晶ミラーセル２２を透過し、反射型直線偏光板２３’において、１２時−６時方位に振動する直線偏光２３’ａを透過し、９時−３時方位に振動する直線偏光２３’ｂを反射する。反射された直線偏光２３’ｂは液晶ミラーセル２２による偏光方位の回転を受けず、１２時−６時方位の直線偏光２２ａとなり、反射型直線偏光板５Ａによって反射される。他方、光源３から反射型直線偏光板５Ａに直接伝播されたランダム照射光３ａは反射型直線偏光板５Ａにおいて、１２時−６時方位の直線偏光１４ｂとして透過し、９時−３時方位の直線偏光５ｂを反射させる。反射された直線偏光５ｂは液晶ミラーセル２２による偏光方位の回転を受けず、直線偏光２２ｂとなり、反射型直線偏光板２３’によって反射される。すなわち、反射型直線偏光板５Ａに伝播した直線偏光２３’ｂ、５ｂは２つの反射型直線偏光板２３’、５Ａ間に閉じ込まれ、従って、多重反射は発生しない。
【０１６１】
このように、直線偏光型液晶ミラースイッチ２Ａ”の液晶ミラーセル２２をミラー状態と透過状態とに制御することにより奥行照明（多重反射）及び奥行照明停止（多重反射なし）の切り替えを行える。また、直線偏光型液晶ミラースイッチ２Ａ”の液晶ミラーセル２２の駆動電圧を制御することによりその中間状態も実現できる。
【０１６２】
図１５は第７の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１６３】
図１５の（Ａ）においては、図１３の（Ａ）の液晶画像表示ユニット１Ａの代りに、有機エレクトロルミネセンス（ＥＬ）画像表示ユニット１Ｂを設ける。有機ＥＬ画像表示ユニット１Ｂは、有機ＥＬ（ＯＬＥＤ）セル１１’、１／４波長板１２’及び吸収型直線偏光板１３’よりなる。この場合、１／４波長板１２’の遅相軸と吸収型直線偏光板１３’の透過軸は４５°をなしており、吸収型直線偏光板１３’及び１／４波長板１２’は円偏光板として作用する。この円偏光板は、吸収型直線偏光板１３’側から光が入射した場合に、ＯＬＥＤセル１１’の陰極から反射される光を遮光する反射防止作用を有する。
【０１６４】
電圧無印加時の液晶ミラーセル２２のミラー状態における画面表示遮光を図１５の（Ｂ）を参照して説明する。この場合、有機ＥＬ画像ユニット１ＢのＯＬＥＤセル１１’を駆動する。
【０１６５】
有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａは、ハーフミラー４によって輝度がほぼ半減されて直線偏光４ａとなる。次に、直線偏光型液晶ミラースイッチ２Ａ’において、直線偏光４ａは吸収型直線偏光板２１’を透過し、液晶ミラーセル２２によって９０°回転されて直線偏光２２ａとなり、反射型直線偏光板２３’に反射され遮光される。従って、反射型直線偏光板２３’側から観察しても画像表示は遮光されて観察されない。
【０１６６】
電圧印加時の液晶ミラーセル２２の透過状態における画面表示を図１５の（Ｃ）を参照して説明する。この場合、有機ＥＬ画像ユニット１ＢのＯＬＥＤセル１１’を駆動する。
【０１６７】
この場合も、有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａはハーフミラー４によって輝度がほぼ半減されて直線偏光４ａとなる。次に、直線偏光型液晶ミラースイッチ２Ａ’において、直線偏光４ａは吸収型直線偏光板２１’を透過し、さらに、液晶ミラーセル２２を透過する。直線偏光４ａは反射型直線偏光板２３’の透過軸と平行となるので、反射型直線偏光板２３’を透過する。従って、画像表示は反射型直線偏光板２３’側から観察される。
【０１６８】
このように、直線偏光型液晶ミラースイッチ２Ａ’の液晶ミラーセル２２をミラー状態と透過状態とに制御することにより画面表示遮光及び画面表示透過の切替を行える。
【０１６９】
電圧印加時の液晶ミラーセル２２の透過状態における奥行照明は図１５の（Ｄ）に示すごとく、図１３の（Ｄ）の場合と同一である。つまり、多重反射を繰り返し、ハーフミラー４の裏側にＬＥＤ素子３１の反射虚像が等間隔で観察されて奥行感を有するように感じられる。この現象は反射型直線偏光板２３’の面法線方向からの正面観察時に多重反射が重複するので観察されにくいが、反射型直線偏光板２３’の面法線から傾斜した方向から観察すると多重反射像が明確に観察される。
【０１７０】
電圧無印加時の液晶ミラーセル２２のミラー状態における奥行照明停止は、図１５の（Ｅ）に示すごとく、図１３の（Ｅ）の場合と同一である。つまり、多重反射は発生しない。
【０１７１】
このように、直線偏光型液晶ミラースイッチ２Ａ’の液晶ミラーセル２２を透過状態とミラー状態とに制御することにより奥行照明（多重反射）及び奥行照明停止（多重反射なし）の切り替えを行える。また、液晶ミラーセル２２の駆動電圧を制御することにより中間状態も実現できる。
【０１７２】
図１６は本発明に係る画像表示状態と奥行照明状態とが切替可能な装置の第７の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１７３】
図１６の（Ａ）においては、図１５のハーフミラー４の代りに、１２時−６時方位に振動する反射型直線偏光板５Ａを設ける。
【０１７４】
電圧無印加時の液晶ミラーセル２２のミラー状態における画面表示遮光を図１６の（Ｂ）を参照して説明する。この場合、有機ＥＬ画像ユニット１ＢのＯＬＥＤセル１１’を駆動する。
【０１７５】
有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａは、反射型直線偏光板５Ａの透過軸に平行であるので、反射型直線偏光板５Ａを透過する。次に、直線偏光型液晶ミラースイッチ２Ａ”において、液晶ミラーセル２２によって９０°回転されて直線偏光２２ａとなり、反射型直線偏光板２３’に反射され遮光される。従って、反射型直線偏光板２３’側から観察しても画像表示は遮光されて観察されない。
【０１７６】
電圧印加時の液晶ミラーセル２２の透過状態における画面表示を図１６の（Ｃ）を参照して説明する。この場合、有機ＥＬ画像ユニット１ＢのＯＬＥＤセル１１’を駆動する。
【０１７７】
この場合も、有機ＥＬ画像表示ユニット１Ｂにおいて、画像表示としてＯＬＥＤセル１１’からの自然光（ランダム偏光）１１’ａは１／４波長板１２’及び吸収型直線偏光板１３’によって１２時−６時方位に振動する直線偏光１３’ａに変換される。この直線偏光１３’ａは反射型直線偏光板５Ａの１２時−６時方位の透過軸に平行となるので、反射型直線偏光板５Ａを透過する。次に、直線偏光型液晶ミラースイッチ２Ａ”において、液晶ミラーセル２２による変更を受けず直線偏光１３’ａは反射型直線偏光板２３’の透過軸と平行となるので、反射型直線偏光板２３’を透過する。従って、画像表示は反射型直線偏光板２３’側から観察される。
【０１７８】
このように、直線偏光型液晶ミラースイッチ２Ａ”の液晶ミラーセル２２をミラー状態と透過状態とに制御することにより画面表示遮光及び画面表示透過の切替を行える。
【０１７９】
電圧無印加時の液晶ミラーセル２２のミラー状態における奥行照明は図１６の（Ｄ）に示すごとく、図１４の（Ｄ）の場合と同一である。つまり、多重反射を繰り返し、ハーフミラー４の裏側にＬＥＤ素子３１の反射虚像が等間隔で観察されて奥行感を有するように感じられる。この現象は反射型直線偏光板２３’の面法線方向からの正面観察時に多重反射が重複するので観察されにくいが、反射型直線偏光板２３’の面法線から傾斜した方向から観察すると多重反射像が明確に観察される。
【０１８０】
電圧印加時の液晶ミラーセル２２の透過状態における奥行照明停止は、図１８の（Ｅ）に示すごとく、図１４の（Ｅ）の場合と同一である。つまり、多重反射は発生しない。
【０１８１】
このように、直線偏光型液晶ミラースイッチ２Ａ”の液晶ミラーセル２２をミラー状態と透過状態とに制御することにより奥行照明（多重反射）及び奥行照明停止（多重反射なし）の切り替えを行える。また、液晶ミラーセル２２の駆動電圧を制御することにより中間状態も実現できる。
【０１８２】
図１７は第８の比較具体例としての画像表示状態と奥行照明状態とが切替可能な装置を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１８３】
図１７の（Ａ）においては、図９の（Ａ）のミラーデバイス２Ｃの位置とハーフミラー４の位置を交換する。
【０１８４】
電圧印加時のミラーデバイス２Ｃのミラー状態における画面表示遮光を図１７の（Ｂ）を参照して説明する。この場合、液晶画像表示ユニット１Ａを駆動する。
【０１８５】
液晶画像表示ユニット１Ａにおいて、バックライト１１からの自然光（ランダム偏光）１１ａは吸収型直線偏光板１２によって９時−３時方位の振動方向の直線偏光１２ａに変換されてＴＦＴＬＣＤセル１３に入射する。ＴＦＴＬＣＤセル１３においては、暗状態では、偏光状態は変化せず、他方、明状態では、偏光状態は変化し、たとえば、直線偏光は９０°回転して１２時−６時方位の振動方向を有する直線偏光に変調される。吸収型直線偏光板１４は１２時−６時方位に振動する直線偏光１４ａすなわちＴＦＴＬＣＤセル１３における明状態部分の画像のみを透過する。尚、ＴＦＴＬＣＤセル１３においては中間調状態の画素も存在するが、これらはその階調状態に則して光透過する。
【０１８６】
次に、直線偏光１４ａはハーフミラー４によって輝度がほぼ半減されて直線偏光４ａとなる。しかし、直線偏光４ａはミラーデバイス２Ｃによって遮光される。この結果、最表面のミラーデバイス２Ｃ側から観察しても画像表示は遮光されて観察されない。
【０１８７】
電圧無印加時のミラーデバイス２Ｃの透過状態における画面表示透過を図１７の（Ｃ）を参照して説明する。この場合も、液晶画像表示ユニット１Ａを駆動する。
【０１８８】
図１７の（Ｃ）においても、ＴＦＴＬＣＤセル１３の明状態画像が吸収型直線偏光板１４を透過するまでは、図１７の（Ｂ）の場合と同様である。しかし、ハーフミラー４を透過した明状態画像の直線偏光４ａの振動方位はミラーデバイス２Ｃにて変化せずに出射する。従って、直線偏光４ａは既にハーフミラー４によって輝度がほぼ半減されており、画像は最表面のミラーデバイス２Ｃ側から観察することができるが、画像品質が低下する。
【０１８９】
このように、ミラーデバイス２Ｃをミラー状態と透過状態とに制御することにより画面表示遮光及び画面表示透過の切替を行える。
【０１９０】
電圧無印加時のミラーデバイス２Ｃの透過状態における奥行照明は、図１７の（Ｄ）に示すごとく、図９の（Ｄ）の場合と同一である。つまり、奥行照明を実現できる。
【０１９１】
電圧印加時のミラーデバイス２Ｃのミラー状態における奥行照明停止は、図１７の（Ｅ）に示すごとく、図９の（Ｅ）の場合と同様である。
【０１９２】
このように、ミラーデバイス２Ｃをミラー状態と透過状態とに制御することにより奥行照明（多重反射）及び奥行照明停止（多重反射なし）の切り替えを行える。また、ミラーデバイス２Ｃの駆動電圧を制御することによりその中間状態も実現できる。
【０１９３】
図１８は本発明に係る画像表示状態と奥行照明状態とが切替可能な装置の第８の実施の形態を示し、（Ａ）は分解図、（Ｂ）は画面表示遮光を説明するための図、（Ｃ）は画面表示透過を説明するための図、（Ｄ）は奥行照明（多重反射）を説明するための図、（Ｅ）は奥行照明停止（無多重反射）を説明するための図である。
【０１９４】
図１８の（Ａ）においては、図１７の（Ａ）のハーフミラー４の代わりに、１２時−６時方位の振動方向を透過軸とする反射型直線偏光板５Ａを設ける。
【０１９５】
電圧印加時のミラーデバイス２Ｃのミラー状態における画面表示遮光を図１８の（Ｂ）を参照して説明する。この場合、液晶画像表示ユニット１Ａを駆動する。
【０１９６】
図１８の（Ｂ）においては、図１７の（Ｂ）における吸収型直線偏光板１４は１２時−６時方位に振動する直線偏光１４ａすなわちＴＦＴＬＣＤセル１３における明状態部分の画像のみを透過するまでは同一である。
【０１９７】
次に、直線偏光１４ａは１２時−６時方位の振動方向を透過軸とする反射型直線偏光板５Ａを透過する。しかし、直線偏光１４ａはミラーデバイス２Ｃによって遮光される。この結果、最表面のミラーデバイス２Ｃ側から観察しても画像表示は遮光されて観察されない。
【０１９８】
電圧無印加時のミラーデバイス２Ｃの透過状態における画面表示透過を図１８の（Ｃ）を参照して説明する。この場合も、液晶画像表示ユニット１Ａを駆動する。
【０１９９】
図１８の（Ｃ）においても、ＴＦＴＬＣＤセル１３の明状態画像が吸収型直線偏光板１４を透過するまでは、図１８の（Ｂ）の場合と同様である。しかし、反射型直線偏光板５Ａを透過した明状態画像の直線偏光１４ａの振動方位はミラーデバイス２Ｃにて変化せずに出射する。従って、直線偏光１４ａは輝度が減少しない。この結果、画像は最表面のミラーデバイス２Ｃ側から観察することができ、画像品質の低下はほとんどない。
【０２００】
このように、ミラーデバイス２Ｃをミラー状態と透過状態とに制御することにより画面表示遮光及び画面表示透過の切替を行える。
【０２０１】
電圧印加時のミラーデバイス２Ｃの透過状態における奥行照明は図１８の（Ｄ）に示すごとく、図１７の（Ｄ）の場合と同一である。つまり、奥行照明を実現できる。
【０２０２】
電圧印加時のミラーデバイス２Ｃのミラー状態における奥行照明停止は、図１８の（Ｅ）に示すごとく、図１７の（Ｅ）の場合と同様である。
【０２０３】
このように、ミラーデバイス２Ｃをミラー状態と透過状態とに制御することにより奥行照明（多重反射）及び奥行照明停止（多重反射なし）の切り替えを行える。また、ミラーデバイス２Ｃの駆動電圧を制御することによりその中間状態も実現できる。
【０２０４】
尚、上述の実施の形態における反射型直線偏光板及びミラースイッチの偏光板たとえば、反射型直線偏光板２１、５Ａ、吸収型直線偏光板２３、反射型円偏光板１２２、２３’、５Ａ、５Ｂの偏光度は低い方が光源３のランダム光の無限反射の点から好ましい。つまり、直線偏光板の透過軸及び反射軸（吸収軸）以外の偏光もある程度透過又は反射（吸収）されるようにし、右回転円偏光板及び左回転円偏光板は右回転円偏光及び左回転円偏光以外の偏光もある程度透過又は反射（吸収）されるようにする。
【０２０５】
また、上述の実施の形態における円偏光は楕円偏光であってもよい。この場合、円偏光板は右回転又は左回転の楕円偏光を透過させ、その他の光を左回転又は右回転の楕円偏光として反射するものでもよい。
【０２０６】
さらに、上述の実施の形態において、光源３は複数のＬＥＤ素子３１より構成しているが、光源３は単数又は複数の点光源素子又は面光源素子により構成すればよい。
【０２０７】
さらにまた、本発明は上述の実施の形態の自明の範囲でいかなる変更にも適用できる。
【産業上の利用可能性】
【０２０８】
本発明は、画像表示を伴う照明演出装置；ルームミラー、建材用途、インテリア等に用いられる画像表示を伴うスマートルームミラー；リアコンビネーションランプ等の車両用灯具；ディジタルサイネージ装置等に利用できる。
【符号の説明】
【０２０９】
１：画像表示ユニット
１Ａ、１Ａ’、１Ａ”：液晶画像表示ユニット
１１：バックライト
１２：吸収型直線偏光板 
１３：ＴＦＴＬＣＤセル
１４：吸収型直線偏光板 
１５：１／４波長板 
１６：１／４波長板 
１Ｂ、１Ｂ’：有機エレクトロルミネセンス（ＥＬ）画像表示ユニット
１１’：有機ＥＬ（ＯＬＥＤ）セル
１２’：１／４波長板
１３’：吸収型直線偏光板 
１４’：反射型円偏光板
２：ミラースイッチ
２Ａ、２Ａ’、２Ａ”：直線偏光型液晶ミラースイッチ
２１：反射型直線偏光板
２２：液晶ミラーセル
２３：吸収型直線偏光板 
２１’：吸収型直線偏光板 
２３’：反射型直線偏光板
２Ｂ、２Ｂ’、２Ｂ”：円偏光型液晶ミラースイッチ
１２１：１／４波長板
１２２：反射型円偏光板
１２３：液晶ミラーセル
１２４：１／４波長板
１２５：吸収型直線偏光板 
２Ｃ：ミラーデバイス
３：光源
４：ハーフミラー
５Ａ：反射型直線偏光板
５Ｂ：反射型円偏光板
１０：制御ユニット
【図１】
2020060609.tif 000003
【図２】
2020060609.tif 000004
【図３】
2020060609.tif 000005
【図４】
2020060609.tif 000006
【図５】
2020060609.tif 000007
【図６】
2020060609.tif 000008
【図７】
2020060609.tif 000009
【図８】
2020060609.tif 000010
【図９】
2020060609.tif 000011
【図１０】
2020060609.tif 000012
【図１１】
2020060609.tif 000013
【図１２】
2020060609.tif 000014
【図１３】
2020060609.tif 000015
【図１４】
2020060609.tif 000016
【図１５】
2020060609.tif 000017
【図１６】
2020060609.tif 000018
【図１７】
2020060609.tif 000019
【図１８】
2020060609.tif 000020